(57)【要約】  本開示の態様は、ワイヤレス通信においてビームを送信することについて説明する。異なるビームフォーミング方向を有する複数のダウンリンクビームは、基地局から受信され得る。複数のダウンリンクビームの各々に関連付けられたダウンリンク経路損失値が測定され得る。複数のアップリンクビームを送信するための送信電力は、ダウンリンク経路損失値のうちの少なくとも1つに基づいて決定され得る。複数のビームフォーミングされた方向における複数のアップリンクビームは、送信電力に基づいて送信され得る。
2021501518.tif 000002
【特許請求の範囲】
【請求項１】
ワイヤレス通信においてビームを送信するための方法であって、
基地局から、異なるビームフォーミング方向を有する複数のダウンリンクビームを受信するステップと、
前記複数のダウンリンクビームの各々に関連付けられたダウンリンク経路損失値を測定するステップと、
前記ダウンリンク経路損失値のうちの少なくとも1つに基づいて、複数のアップリンクビームを送信するための送信電力を決定するステップと、
前記送信電力に基づいて、複数のビームフォーミングされた方向において前記複数のアップリンクビームを送信するステップと
を備える方法。
【請求項２】
前記複数のアップリンクビームの各々を送信するための前記送信電力を決定するステップが、前記ダウンリンク経路損失値のうちの1つに基づく、請求項1に記載の方法。
【請求項３】
前記ダウンリンク経路損失値のうちの1つを前記複数のダウンリンクビームの最小経路損失値として決定するステップをさらに備える、請求項2に記載の方法。
【請求項４】
前記複数のアップリンクビームを送信した後に、
前記基地局から、異なるビームフォーミング方向を有する複数の更新されたダウンリンクビームを受信するステップと、
前記複数の更新されたダウンリンクビームの各々に関連付けられた更新されたダウンリンク経路損失値を測定するステップと
をさらに備える、請求項2に記載の方法。
【請求項５】
前記基地局に、前記複数のダウンリンクビームのうちの1つまたは複数と、前記複数の更新されたダウンリンクビームのうちの1つまたは複数との間のダウンリンクビーム強度の変化を報告するステップをさらに備える、請求項4に記載の方法。
【請求項６】
前記複数のアップリンクビームを備えるアップリンクビームのセットの各々が送信されるまで、更新されたダウンリンク経路損失値を測定すること、または前記基地局から受信された閉ループ電力コマンドを処理することのうちの少なくとも1つに基づいて、前記送信電力の決定を更新するのを控えるステップをさらに備える、請求項1に記載の方法。
【請求項７】
前記複数のアップリンクビームのうちの少なくとも1つを送信したことに応答して、1つまたは複数の電力制御パラメータを含むサウンディング基準信号(SRS)リソースアクティブ化メッセージを受信するステップをさらに備える、請求項1に記載の方法。
【請求項８】
前記SRSリソースアクティブ化メッセージが、SRS電力オフセット、絶対電力制御値、または累積電力制御値のうちの少なくとも1つを含む、請求項7に記載の方法。
【請求項９】
前記累積電力制御値が、複数のSRSアクティブ化および/またはSRS送信にわたって累積される、請求項8に記載の方法。
【請求項１０】
前記送信電力を調整し、前記1つまたは複数の電力制御パラメータに少なくとも部分的に基づいてSRSを送信するステップをさらに備える、請求項7に記載の方法。
【請求項１１】
前記複数のアップリンクビームの各々を送信するための前記送信電力を決定するステップが、前記ダウンリンク経路損失値のうちの異なる1つに基づく、請求項1に記載の方法。
【請求項１２】
前記複数のダウンリンクビームが、同期信号ブロックビームまたはチャネル状態情報基準信号ビームを含む、請求項11に記載の方法。
【請求項１３】
前記基地局に、前記複数のアップリンクビームの各々について、前記アップリンクビームに関連付けられた前記ダウンリンク経路損失値のうちの前記異なる1つを報告するステップをさらに備える、請求項11に記載の方法。
【請求項１４】
前記ダウンリンク経路損失値のうちの前記異なる1つを報告するステップが、前記ダウンリンク経路損失値のうちの前記異なる1つの絶対値、または基準経路損失値と比較した前記ダウンリンク経路損失値のうちの前記異なる1つの相対差分値のうちの少なくとも1つを報告するステップを備える、請求項13に記載の方法。
【請求項１５】
1つまたは複数の閉ループ電力コマンドの肯定応答を前記基地局に送信したことに少なくとも部分的に基づいて、前記複数のアップリンクビームの送信の間に、前記基地局から受信された前記1つまたは複数の閉ループ電力コマンドを処理するステップをさらに備える、請求項1に記載の方法。
【請求項１６】
ワイヤレス通信のための装置であって、
トランシーバと、
命令を記憶するように構成されたメモリと、
前記トランシーバおよび前記メモリと通信可能に結合された1つまたは複数のプロセッサとを備え、前記1つまたは複数のプロセッサが、
基地局から、異なるビームフォーミング方向を有する複数のダウンリンクビームを受信し、
前記複数のダウンリンクビームの各々に関連付けられたダウンリンク経路損失値を測定し、
前記ダウンリンク経路損失値のうちの少なくとも1つに基づいて、複数のアップリンクビームを送信するための送信電力を決定し、
前記送信電力に基づいて、複数のビームフォーミングされた方向において前記複数のアップリンクビームを送信する
ように構成される、装置。
【請求項１７】
前記1つまたは複数のプロセッサが、前記ダウンリンク経路損失値のうちの1つに基づいて、前記複数のアップリンクビームの各々を送信するための前記送信電力を決定するように構成される、請求項16に記載の装置。
【請求項１８】
前記1つまたは複数のプロセッサが、前記ダウンリンク経路損失値のうちの1つを前記複数のダウンリンクビームの最小経路損失値として決定するようにさらに構成される、請求項17に記載の装置。
【請求項１９】
前記1つまたは複数のプロセッサが、前記複数のアップリンクビームを送信した後に、
前記基地局から、異なるビームフォーミング方向を有する複数の更新されたダウンリンクビームを受信し、
前記複数の更新されたダウンリンクビームの各々に関連付けられた更新されたダウンリンク経路損失値を測定する
ように構成される、請求項17に記載の装置。
【請求項２０】
前記1つまたは複数のプロセッサが、前記基地局に、前記複数のダウンリンクビームのうちの1つまたは複数と、前記複数の更新されたダウンリンクビームのうちの1つまたは複数との間のダウンリンクビーム強度の変化を報告するようにさらに構成される、請求項19に記載の装置。
【請求項２１】
前記1つまたは複数のプロセッサが、前記複数のアップリンクビームを備えるアップリンクビームのセットの各々が送信されるまで、更新されたダウンリンク経路損失値を測定すること、または前記基地局から受信された閉ループ電力コマンドを処理することのうちの少なくとも1つに基づいて、前記送信電力の決定を更新するのを控えるように構成される、請求項16に記載の装置。
【請求項２２】
前記1つまたは複数のプロセッサが、前記複数のアップリンクビームのうちの少なくとも1つを送信したことに応答して、1つまたは複数の電力制御パラメータを含むサウンディング基準信号(SRS)リソースアクティブ化メッセージを受信するように構成される、請求項16に記載の装置。
【請求項２３】
前記SRSリソースアクティブ化メッセージが、SRS電力オフセット、絶対電力制御値、または累積電力制御値のうちの少なくとも1つを含む、請求項22に記載の装置。
【請求項２４】
前記累積電力制御値が、複数のSRSアクティブ化および/またはSRS送信にわたって累積される、請求項23に記載の装置。
【請求項２５】
前記1つまたは複数のプロセッサが、前記送信電力を調整し、前記1つまたは複数の電力制御パラメータに少なくとも部分的に基づいてSRSを送信するように構成される、請求項22に記載の装置。
【請求項２６】
ワイヤレス通信においてビームを送信するための装置であって、
基地局から、異なるビームフォーミング方向を有する複数のダウンリンクビームを受信するための手段と、
前記複数のダウンリンクビームの各々に関連付けられたダウンリンク経路損失値を測定するための手段と、
前記ダウンリンク経路損失値のうちの少なくとも1つに基づいて、複数のアップリンクビームを送信するための送信電力を決定するための手段と、
前記送信電力に基づいて、複数のビームフォーミングされた方向において前記複数のアップリンクビームを送信するための手段と
を備える装置。
【請求項２７】
前記決定するための手段が、前記ダウンリンク経路損失値のうちの1つに基づいて、前記複数のアップリンクビームの各々を送信するための前記送信電力を決定する、請求項26に記載の装置。
【請求項２８】
前記ダウンリンク経路損失値のうちの1つを前記複数のダウンリンクビームの最小経路損失値として決定するための手段をさらに備える、請求項27に記載の装置。
【請求項２９】
前記複数のアップリンクビームを備えるアップリンクビームのセットの各々が送信されるまで、更新されたダウンリンク経路損失値を測定すること、または前記基地局から受信された閉ループ電力コマンドを処理することのうちの少なくとも1つに基づいて、前記送信電力の決定を更新するのを控えるための手段をさらに備える、請求項26に記載の装置。
【請求項３０】
ワイヤレス通信においてビームを送信するための1つまたは複数のプロセッサによって実行可能なコードを記憶したコンピュータ可読記憶媒体であって、前記コードが、
基地局から、異なるビームフォーミング方向を有する複数のダウンリンクビームを受信し、
前記複数のダウンリンクビームの各々に関連付けられたダウンリンク経路損失値を測定し、
前記ダウンリンク経路損失値のうちの少なくとも1つに基づいて、複数のアップリンクビームを送信するための送信電力を決定し、
前記送信電力に基づいて、複数のビームフォーミングされた方向において前記複数のアップリンクビームを送信する
ためのコードを備える、コンピュータ可読記憶媒体。
【請求項３１】
前記決定するためのコードが、前記ダウンリンク経路損失値のうちの1つに基づいて、前記複数のアップリンクビームの各々を送信するための前記送信電力を決定させる、請求項30に記載のコンピュータ可読記憶媒体。
【請求項３２】
前記ダウンリンク経路損失値のうちの1つを前記複数のダウンリンクビームの最小経路損失値として決定するためのコードをさらに備える、請求項31に記載のコンピュータ可読記憶媒体。
【請求項３３】
前記複数のアップリンクビームを備えるアップリンクビームのセットの各々が送信されるまで、更新されたダウンリンク経路損失値を測定すること、または前記基地局から受信された閉ループ電力コマンドを処理することのうちの少なくとも1つに基づいて、前記送信電力の決定を更新するのを控えるためのコードをさらに備える、請求項30に記載のコンピュータ可読記憶媒体。
【請求項３４】
ワイヤレス通信における送信電力を調整するための方法であって、
ユーザ機器(UE)から、異なるビームフォーミング方向を有する複数のアップリンクビームを受信するステップと、
前記複数のアップリンクビームの各々に関連付けられたアップリンク経路損失値を測定するステップと、
前記UEから、1つまたは複数の測定されたダウンリンク経路損失値を受信するステップと、
前記UEに、前記アップリンク経路損失値および前記1つまたは複数の測定されたダウンリンク経路損失値に基づいて、送信電力を調整するためのコマンドを送信するステップと
を備える方法。
【請求項３５】
前記UEから、1つまたは複数の測定されたダウンリンク経路損失値を受信するステップが、1つのダウンリンク経路損失値を受信するステップを備え、
前記コマンドを送信するステップが、前記アップリンク経路損失値および前記1つのダウンリンク経路損失値に基づく、請求項34に記載の方法。
【請求項３６】
前記1つのダウンリンク経路損失値が、以前に測定されたダウンリンク経路損失値からの変化に関連付けられる、請求項35に記載の方法。
【請求項３７】
前記送信電力を調整するためのコマンドが、1つまたは複数の電力制御パラメータを含むサウンディング基準信号(SRS)リソースアクティブ化メッセージを備える、請求項34に記載の方法。
【請求項３８】
前記SRSリソースアクティブ化メッセージが、SRS電力オフセット、絶対電力制御値、または累積電力制御値のうちの少なくとも1つを含む、請求項37に記載の方法。
【請求項３９】
前記UEから、1つまたは複数の測定されたダウンリンク経路損失値を受信するステップが、前記複数のアップリンクビームの各々に対する1つのダウンリンク経路損失値を受信するステップを備える、請求項34に記載の方法。
【請求項４０】
前記送信電力を調整するためのコマンドを送信するステップが、前記複数のアップリンクビームの各々に対する前記1つまたは複数の測定されたダウンリンク経路損失値を対応するアップリンク経路損失値と比較することに少なくとも部分的に基づく、請求項39に記載の方法。
【請求項４１】
ワイヤレス通信のための装置であって、
トランシーバと、
命令を記憶するように構成されたメモリと、
前記トランシーバおよび前記メモリと通信可能に結合された1つまたは複数のプロセッサとを備え、前記1つまたは複数のプロセッサが、
ユーザ機器(UE)から、異なるビームフォーミング方向を有する複数のアップリンクビームを受信し、
前記複数のアップリンクビームの各々に関連付けられたアップリンク経路損失値を測定し、
前記UEから、1つまたは複数の測定されたダウンリンク経路損失値を受信し、
前記UEに、前記アップリンク経路損失値および前記1つまたは複数の測定されたダウンリンク経路損失値に基づいて、送信電力を調整するためのコマンドを送信する
ように構成される、装置。
【請求項４２】
前記1つまたは複数のプロセッサが、1つのダウンリンク経路損失値として前記1つまたは複数の測定されたダウンリンク経路損失値を受信するように構成され、
前記1つまたは複数のプロセッサが、前記アップリンク経路損失値および前記1つのダウンリンク経路損失値に基づいて前記コマンドを送信するように構成される、請求項41に記載の装置。
【請求項４３】
前記1つのダウンリンク経路損失値が、以前に測定されたダウンリンク経路損失値からの変化に関連付けられる、請求項42に記載の装置。
【請求項４４】
前記送信電力を調整するためのコマンドが、1つまたは複数の電力制御パラメータを含むサウンディング基準信号(SRS)リソースアクティブ化メッセージを備える、請求項41に記載の装置。
【請求項４５】
ワイヤレス通信における送信電力を調整するための装置であって、
ユーザ機器(UE)から、異なるビームフォーミング方向を有する複数のアップリンクビームを受信するための手段と、
前記複数のアップリンクビームの各々に関連付けられたアップリンク経路損失値を測定するための手段と、
前記UEから、1つまたは複数の測定されたダウンリンク経路損失値を受信するための手段と、
前記UEに、前記アップリンク経路損失値および前記1つまたは複数の測定されたダウンリンク経路損失値に基づいて、送信電力を調整するためのコマンドを送信するための手段と
を備える装置。
【請求項４６】
前記1つまたは複数の測定されたダウンリンク経路損失値を前記受信するための手段が、1つのダウンリンク経路損失値を受信し、
前記送信するための手段が、前記アップリンク経路損失値および前記1つのダウンリンク経路損失値に基づいて前記コマンドを送信する、請求項45に記載の装置。
【請求項４７】
前記1つのダウンリンク経路損失値が、以前に測定されたダウンリンク経路損失値からの変化に関連付けられる、請求項46に記載の装置。
【請求項４８】
ワイヤレス通信における送信電力を調整するための1つまたは複数のプロセッサによって実行可能なコードを記憶したコンピュータ可読記憶媒体であって、前記コードが、
ユーザ機器(UE)から、異なるビームフォーミング方向を有する複数のアップリンクビームを受信し、
前記複数のアップリンクビームの各々に関連付けられたアップリンク経路損失値を測定し、
前記UEから、1つまたは複数の測定されたダウンリンク経路損失値を受信し、
前記UEに、前記アップリンク経路損失値および前記1つまたは複数の測定されたダウンリンク経路損失値に基づいて、送信電力を調整するためのコマンドを送信する
ためのコードを備える、コンピュータ可読記憶媒体。
【請求項４９】
前記1つまたは複数の測定されたダウンリンク経路損失値を前記受信するためのコードが、1つのダウンリンク経路損失値を受信させ、
前記送信するためのコードが、前記アップリンク経路損失値および前記1つのダウンリンク経路損失値に基づいて前記コマンドを送信させる、請求項48に記載のコンピュータ可読記憶媒体。
【請求項５０】
前記1つのダウンリンク経路損失値が、以前に測定されたダウンリンク経路損失値からの変化に関連付けられる、請求項49に記載のコンピュータ可読記憶媒体。
【発明の詳細な説明】
【技術分野】
【０００１】
米国特許法第119条に基づく優先権の主張
本特許出願は、本出願の譲受人に譲渡され、その全体が参照により本明細書に明確に組み込まれる、2017年10月31日に出願された「TECHNIQUES FOR BEAM-BASED POWER CONTROL IN WIRELESS COMMUNICATIONS」と題する仮出願第62/579,796号、および2018年10月29日に出願された「TECHNIQUES FOR BEAM-BASED POWER CONTROL IN WIRELESS COMMUNICATIONS」と題する米国特許出願第16/173,411号の優先権を主張する。
【０００２】
本開示の態様は、一般にワイヤレス通信システムに関し、より詳細には、ワイヤレス通信を送信する際に電力制御を管理することに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。たとえば、(5Gニューラジオ(5G NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンド、レイテンシおよび信頼性についてのいくつかの仕様を有する超高信頼低レイテンシ通信(URLLC)、および非常に多数の被接続デバイスと比較的少量の遅延に影響されない情報の送信とを可能にすることができるマッシブマシンタイプ通信を含むことができる。しかしながら、モバイルブロードバンドアクセスに対する需要が増加し続けるにつれて、5G通信技術以降におけるさらなる改善が望まれ得る。
【０００５】
ユーザ機器(UE)送信電力のための電力制御は、(たとえば、基地局からの)閉ループコマンドおよび/またはUEによって決定され、電力調整値を計算するために分析される開ループパラメータに基づいて達成され得る。たとえば、ロングタームエボリューション(LTE)などのレガシーワイヤレス通信技術では、UEは、受信された信号に関連付けられた、信号対干渉雑音比(SINR)、フラクショナル経路損失、スケジュールされた帯域幅、変調およびコーディング方式(MCS)などを決定してもよく、それに応じて、測定された信号が受信される基地局または他のデバイスに信号を送信する際に使用するための電力を決定してもよい。しかしながら、NRでは、所与の基地局は、UEのための電力制御パラメータが決定され得る複数の信号を送信することがあり、このことは、電力制御パラメータを決定するための現在の機構をNR技術にとっては不十分なものにすることがある。
【発明の概要】
【課題を解決するための手段】
【０００６】
以下は、1つまたは複数の態様の基本的理解を与えるために、そのような態様の簡略化された概要を提示する。この概要は、すべての企図される態様の包括的な概説ではなく、すべての態様の主要または重要な要素を識別するものでもなく、いずれかまたはすべての態様の範囲を定めるものでもない。その唯一の目的は、後で提示されるより詳細な説明の前置きとして、1つまたは複数の態様のいくつかの概念を簡略化された形で提示することである。
【０００７】
一例によれば、ワイヤレス通信においてビームを送信するための方法が提供される。方法は、基地局から、異なるビームフォーミング方向を有する複数のダウンリンクビームを受信するステップと、複数のダウンリンクビームの各々に関連付けられたダウンリンク経路損失値を測定するステップと、ダウンリンク経路損失値のうちの少なくとも1つに基づいて、複数のアップリンクビームを送信するための送信電力を決定するステップと、送信電力に基づいて、複数のビームフォーミングされた方向において複数のアップリンクビームを送信するステップとを含む。
【０００８】
別の例では、ワイヤレス通信のための装置であって、トランシーバと、命令を記憶するように構成されたメモリと、トランシーバおよびメモリと通信可能に結合された1つまたは複数のプロセッサとを含む装置が提供される。1つまたは複数のプロセッサは、基地局から、異なるビームフォーミング方向を有する複数のダウンリンクビームを受信し、複数のダウンリンクビームの各々に関連付けられたダウンリンク経路損失値を測定し、ダウンリンク経路損失値のうちの少なくとも1つに基づいて、複数のアップリンクビームを送信するための送信電力を決定し、送信電力に基づいて、複数のビームフォーミングされた方向において複数のアップリンクビームを送信するように構成される。
【０００９】
別の例では、ワイヤレス通信においてビームを送信するための装置が提供される。装置は、基地局から、異なるビームフォーミング方向を有する複数のダウンリンクビームを受信するための手段と、複数のダウンリンクビームの各々に関連付けられたダウンリンク経路損失値を測定するための手段と、ダウンリンク経路損失値のうちの少なくとも1つに基づいて、複数のアップリンクビームを送信するための送信電力を決定するための手段と、送信電力に基づいて、複数のビームフォーミングされた方向において複数のアップリンクビームを送信するための手段とを含む。
【００１０】
また別の例では、ワイヤレス通信においてビームを送信するための1つまたは複数のプロセッサによって実行可能なコードを含むコンピュータ可読媒体が提供される。コードは、基地局から、異なるビームフォーミング方向を有する複数のダウンリンクビームを受信し、複数のダウンリンクビームの各々に関連付けられたダウンリンク経路損失値を測定し、ダウンリンク経路損失値のうちの少なくとも1つに基づいて、複数のアップリンクビームを送信するための送信電力を決定し、送信電力に基づいて、複数のビームフォーミングされた方向において複数のアップリンクビームを送信するためのコードを含む。
【００１１】
別の例では、ワイヤレス通信において送信電力を調整するための方法が提供される。方法は、ユーザ機器(UE)から、異なるビームフォーミング方向を有する複数のアップリンクビームを受信するステップと、複数のアップリンクビームの各々に関連付けられたアップリンク経路損失値を測定するステップと、UEから、1つまたは複数の測定されたダウンリンク経路損失値を受信するステップと、UEに、アップリンク経路損失値および1つまたは複数の測定されたダウンリンク経路損失値に基づいて、送信電力を調整するためのコマンドを送信するステップとを含む。
【００１２】
別の例では、ワイヤレス通信のための装置であって、トランシーバと、命令を記憶するように構成されたメモリと、トランシーバおよびメモリと通信可能に結合された1つまたは複数のプロセッサとを含む装置が提供される。1つまたは複数のプロセッサは、UEから、異なるビームフォーミング方向を有する複数のアップリンクビームを受信し、複数のアップリンクビームの各々に関連付けられたアップリンク経路損失値を測定し、UEから、1つまたは複数の測定されたダウンリンク経路損失値を受信し、UEに、アップリンク経路損失値および1つまたは複数の測定されたダウンリンク経路損失値に基づいて、送信電力を調整するためのコマンドを送信するように構成される。
【００１３】
別の例では、ワイヤレス通信における送信電力を調整するための装置であって、UEから、異なるビームフォーミング方向を有する複数のアップリンクビームを受信するための手段と、複数のアップリンクビームの各々に関連付けられたアップリンク経路損失値を測定するための手段と、UEから、1つまたは複数の測定されたダウンリンク経路損失値を受信するための手段と、UEに、アップリンク経路損失値および1つまたは複数の測定されたダウンリンク経路損失値に基づいて、送信電力を調整するためのコマンドを送信するための手段とを含む装置が提供される。
【００１４】
別の例では、ワイヤレス通信において送信電力を調整するための1つまたは複数のプロセッサによって実行可能なコードを含むコンピュータ可読媒体が提供される。コードは、UEから、異なるビームフォーミング方向を有する複数のアップリンクビームを受信し、複数のアップリンクビームの各々に関連付けられたアップリンク経路損失値を測定し、UEから、1つまたは複数の測定されたダウンリンク経路損失値を受信し、UEに、アップリンク経路損失値および1つまたは複数の測定されたダウンリンク経路損失値に基づいて、送信電力を調整するためのコマンドを送信するためのコードを含む。
【００１５】
上記の目的および関係する目的の達成のために、1つまたは複数の態様は、以下で十分に説明し、特に特許請求の範囲で指摘する特徴を備える。以下の説明および添付の図面は、1つまたは複数の態様のいくつかの例示的な特徴を詳細に記載している。しかしながら、これらの特徴は、様々な態様の原理が採用され得る様々な方法のほんのいくつかを示すものであり、この説明は、すべてのそのような態様およびそれらの均等物を含むものとする。
【００１６】
開示する態様について、開示する態様を限定するためではなく例示するために提供される添付の図面に関して以下で説明し、同様の名称は同様の要素を示している。
【図面の簡単な説明】
【００１７】
【図１】本開示の様々な態様による、ワイヤレス通信システムの一例を示す図である。
【図２】本開示の様々な態様による、基地局の一例を示すブロック図である。
【図３】本開示の様々な態様による、UEの一例を示すブロック図である。
【図４】本開示の様々な態様による、アップリンクビームを送信するための方法の一例を示すフローチャートである。
【図５】本開示の様々な態様による、アップリンクビームを送信し、電力制御コマンドを受信するための方法の一例を示すフローチャートである。
【図６】本開示の様々な態様による、アップリンクビームを受信するための方法の一例を示すフローチャートである。
【図７】本開示の様々な態様による、基地局およびUEを含むMIMO通信システムの一例を示すブロック図である。
【発明を実施するための形態】
【００１８】
次に、図面を参照しながら様々な態様について説明する。以下の説明では、説明の目的で、1つまたは複数の態様の完全な理解を与えるために、多数の具体的な詳細が記載されている。しかしながら、そのような態様がこれらの具体的な詳細なしに実践され得ることは明らかであろう。
【００１９】
説明する特徴は、一般に、アップリンク(UL)ビームのうちの1つまたは複数のための送信電力を決定するために、ULビームをダウンリンク(DL)ビームに関連付けることに関する。たとえば、ユーザ機器(UE)は、異なるビームフォーミングされた方向において複数のULビームを送信するULビーム掃引機能を実行することができ、ここで、各ULビームは、基地局から受信された1つまたは複数のDLビームに少なくとも部分的に基づいて決定された送信電力で送信され得る。一例では、1つまたは複数のDLビームのうちの1つ(たとえば、最も低い経路損失を有するビーム)は、各ULビームのための送信電力を決定するために使用され得る。別の例では、各ULビームは、異なる受信されたDLビームに関連付けられ得、関連するDLビームは、対応するULビームのための送信電力を決定するために使用され得る。この例では、UEはまた、基地局が、UEと通信する際にどのUL/DLビームを使用すべきかを決定しようとして、ULビームを送信されたDLビームに関連付けることを可能にするために、関連するDLビームの経路損失測定値または他の電力メトリックを送信してもよい。
【００２０】
たとえば、ロングタームエボリューション(LTE)などのレガシーワイヤレス通信技術では、物理アップリンク共有チャネル(PUSCH)などのアップリンクチャネルのための電力制御は、基地局から受信された閉ループコマンドおよび/またはUEによって計算された開ループパラメータに基づいて実行され得る。たとえば、開ループパラメータは、信号対干渉雑音比(SINR)、フラクショナル経路損失、スケジュールされた帯域幅、変調およびコーディング方式(MCS)などを含んでもよい。PUSCH電力の決定は、UEのためのキャリアごとの最大送信電力(たとえば、PCMAX)、および同じキャリアにおいて送信される物理アップリンク制御チャネル(PUCCH)の電力(たとえば、PPUCCH)によって制限されることがある(たとえば、PCMAX-PPUCCH)。UEのためのPUCCH電力の決定は同様に決定されてもよいが、決定される電力に対するパラメータ値および対応する関係は異なることがある(たとえば、PUCCHフォーマットは、スケジュールされた帯域幅およびMCSの役割を果たすことができる)。加えて、PUCCHのための最大限度はPCMAXとすることができる。別の例では、サウンディング基準信号(SRS)電力の決定は、追加のSRS電力オフセットを加えた、(たとえば、上記で説明したような)PUSCH電力の決定と同様のものとすることができ、最大限度はPCMAXとすることができる。PCMAXは、(UEのための最大許容電力とすることができる)構成されたPeMAX、UEの電力クラス、および/または最大電力低減(MPR:maximum power reduction)に基づいて、UEによって設定され得る。
【００２１】
しかしながら、NRなどのワイヤレス通信技術では、電力制御はビーム固有とすることができ、したがって、基地局によって送信された複数のダウンリンクビームのうちの1つまたは複数に対応することができ、ここで、複数のビームの各々は、異なる経路損失を有し得る。この点について、(たとえば、DLビームのうちの1つまたは複数の経路損失に関連付けるために)各ULビームをDLビームのうちの1つまたは複数と関連付けることは、基地局に送信するためのULビームの各々のための電力制御パラメータを決定するための機構、および/または、基地局がULビームのうちの1つまたは複数に基づいてUEのための対応する閉ループコマンドを決定するための機構を提供することができる。加えて、一例では、UEにおいてSRS送信をアクティブ化するためのSRSアクティブ化メッセージは、一例では、UEのための電力制御パラメータ(たとえば、絶対電力制御値、累積電力制御値または他のパラメータ)を含むことができる。
【００２２】
説明する特徴は、図1〜図7を参照しながら以下でより詳細に提示される。
【００２３】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなどの、コンピュータ関連エンティティを含むものとする。たとえば、構成要素は、限定はしないが、プロセッサ上で実行されるプロセス、プロセッサ、オブジェクト、実行ファイル、実行スレッド、プログラム、および/またはコンピュータであってもよい。例として、コンピューティングデバイス上で実行されるアプリケーションとコンピューティングデバイスの両方が構成要素であり得る。1つまたは複数の構成要素が、プロセスおよび/または実行スレッド内に存在してもよく、1つの構成要素が、1つのコンピュータ上に局所化されてもよく、かつ/または2つ以上のコンピュータの間で分散されてもよい。加えて、これらの構成要素は、様々なデータ構造を記憶した様々なコンピュータ可読媒体から実行することができる。構成要素は、信号によって、ローカルシステム、分散システム内の別の構成要素と対話し、かつ/またはインターネットなどのネットワークを介して他のシステムと対話する1つの構成要素からのデータなどの1つまたは複数のデータパケットを有する信号に従うことなどによって、ローカルプロセスおよび/またはリモートプロセスによって通信することができる。
【００２４】
本明細書で説明する技法は、CDMA、TDMA、FDMA、OFDMA、SC-FDMA、および他のシステムなどの様々なワイヤレス通信システムに使用され得る。「システム」および「ネットワーク」という用語は、しばしば互換的に使用され得る。CDMAシステムは、CDMA2000、ユニバーサル地上波無線アクセス(UTRA)などの無線技術を実装し得る。CDMA2000は、IS-2000規格、IS-95規格、およびIS-856規格を対象とする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に(たとえば、5Gネットワークまたは他の次世代通信システムに)適用可能である。
【００２５】
以下の説明は例を提供するものであり、特許請求の範囲に記載された範囲、適用可能性、または例を限定するものではない。本開示の範囲から逸脱することなく、説明する要素の機能および構成に変更が加えられてもよい。様々な例は、必要に応じて、様々な手順または構成要素を省略、置換、または追加してもよい。たとえば、説明する方法は、説明する順序とは異なる順序で実行されることがあり、様々なステップが追加、省略、または組み合わされることがある。また、いくつかの例に関して説明する特徴は、他の例において組み合わされることがある。
【００２６】
様々な態様または特徴は、いくつかのデバイス、構成要素、モジュールなどを含むことができるシステムに関して提示される。様々なシステムは、追加のデバイス、構成要素、モジュールなどを含むことができ、かつ/または、図に関して説明するデバイス、構成要素、モジュールなどのすべてを含まなくてもよいことを理解し、諒解されたい。これらの手法の組合せも使用され得る。
【００２７】
図1は、本開示の様々な態様による、ワイヤレス通信システム100の一例を示す。ワイヤレス通信システム100は、1つまたは複数の基地局105と、1つまたは複数のUE115と、コアネットワーク130とを含み得る。コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースし得る。基地局105は、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X2など)を介して、直接的または間接的に(たとえば、コアネットワーク130を通じて)のいずれかで、互いと通信し得る。
【００２８】
基地局105は、1つまたは複数の基地局アンテナを介してUE115とワイヤレス通信し得る。基地局105の各々は、それぞれの地理的カバレージエリア110に通信カバレージを提供し得る。いくつかの例では、基地局105は、ネットワークエンティティ、基地トランシーバ局、無線基地局、アクセスポイント、無線トランシーバ、ノードB、eノードB(eNB)、ホームノードB、ホームeノードB、または何らかの他の適切な用語で呼ばれることがある。基地局105のための地理的カバレージエリア110は、カバレージエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレージエリア110があり得る。
【００２９】
いくつかの例では、ワイヤレス通信システム100は、ロングタームエボリューション(LTE)またはLTEアドバンスト(LTE-A)ネットワークであってもよく、またはそれを含んでもよい。ワイヤレス通信システム100はまた、5Gワイヤレス通信ネットワークなどの次世代ネットワークであってもよい。LTE/LTE-Aネットワークでは、発展型ノードB(eNB)、gNBなどの用語は、一般に、基地局105を表すために使用されることがあり、UEという用語は、一般に、UE115を表すために使用されることがある。ワイヤレス通信システム100は、異なるタイプのeNBが様々な地理的領域にカバレージを提供する異種LTE/LTE-Aネットワークであってもよい。たとえば、各eNBまたは基地局105は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３０】
マクロセルは、比較的大きい地理的エリア(たとえば、半径数キロメートル)をカバーすることができ、ネットワークプロバイダのサービスに加入しているUE115による無制限アクセスを可能にし得る。
【００３１】
スモールセルは、マクロセルと同じまたはマクロセルとは異なる(たとえば、認可、無認可など)周波数帯域で動作し得る、マクロセルと比較すると低電力の基地局を含み得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNB、gNBなどと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートし得る。
【００３２】
様々な開示する例のうちのいくつかに適応し得る通信ネットワークは、階層化プロトコルスタックに従って動作するパケットベースネットワークであってもよく、ユーザプレーン内のデータは、IPに基づいてもよい。パケットデータコンバージェンスプロトコル(PDCP)レイヤは、IPパケットのヘッダ圧縮、暗号化、完全性保護などを提供することができる。無線リンク制御(RLC)レイヤは、論理チャネルを介して通信するためにパケットセグメンテーションおよび再アセンブリを実行し得る。媒体アクセス制御(MAC)レイヤは、優先処理と、トランスポートチャネルへの論理チャネルの多重化とを実行し得る。MACレイヤはまた、MACレイヤにおける再送信を行ってリンク効率を改善するために、HARQを使用し得る。制御プレーンでは、無線リソース制御(RRC)プロトコルレイヤは、UE115と基地局105との間のRRC接続の確立、構成、および維持を行い得る。RRCプロトコルレイヤはまた、ユーザプレーンデータのための無線ベアラのコアネットワーク130サポートに使用され得る。物理(PHY)レイヤにおいて、トランスポートチャネルは物理チャネルにマッピングされ得る。
【００３３】
UE115は、ワイヤレス通信システム100全体にわたって分散されてもよく、各UE115は、固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含んでもよく、またはそのように当業者によって呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、エンターテインメントデバイス、車両構成要素などであってもよい。UEは、マクロeNB、スモールセルeNB、中継基地局などを含む、様々なタイプの基地局およびネットワーク機器と通信することが可能であり得る。
【００３４】
ワイヤレス通信システム100において示される通信リンク125は、UE115から基地局105へのUL送信、または基地局105からUE115へのダウンリンク(DL)送信を搬送し得る。ダウンリンク送信は順方向リンク送信と呼ばれることもあり、アップリンク送信は逆方向リンク送信と呼ばれることもある。各通信リンク125は、1つまたは複数キャリアを含んでもよく、各キャリアは、上記で説明した様々な無線技術に従って変調される複数のサブキャリア(たとえば、異なる周波数の波形信号)から構成される信号であり得る。各被変調信号は、異なるサブキャリア上で送られてもよく、制御情報(たとえば、基準信号、制御チャネルなど)、オーバーヘッド情報、ユーザデータなどを搬送してもよい。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。FDD(たとえば、フレーム構造タイプ1)およびTDD(たとえば、フレーム構造タイプ2)に対するフレーム構造が定義され得る。
【００３５】
ワイヤレス通信システム100の態様では、基地局105またはUE115は、アンテナダイバーシティ方式を採用して基地局105とUE115との間の通信品質および信頼性を改善するための複数のアンテナを含み得る。追加または代替として、基地局105またはUE115は、同じまたは異なるコード化データを搬送する複数の空間レイヤを送信するためにマルチパス環境を利用し得る、多入力多出力(MIMO)技法を採用し得る。
【００３６】
ワイヤレス通信システム100は、複数のセルまたはキャリア上での動作、すなわち、キャリアアグリゲーション(CA)またはマルチキャリア動作と呼ばれることがある特徴をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用され得る。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方を用いて使用され得る。
【００３７】
ワイヤレス通信システム100の態様では、基地局105のうちの1つまたは複数は、1つまたは複数のDLビームを送信する、および/あるいは、1つまたは複数のDLビームに基づいて1つまたは複数のUE115から1つまたは複数のULビームを受信するためのビーム管理構成要素240を含み得る。追加の態様では、UE115は、1つまたは複数の基地局105から受信された1つまたは複数のDLビーム、基地局105から受信された閉ループ電力制御コマンドなどに基づいて、UE115の送信電力を制御するための電力制御構成要素340を含み得る。
【００３８】
次に図2〜図7を参照すると、本明細書で説明するアクションまたは動作を実行し得る1つまたは複数の構成要素および1つまたは複数の方法に関して態様が図示されており、破線内の態様は任意選択であってもよい。図4〜図6において以下で説明する動作は、特定の順序でおよび/または例示的な構成要素によって実行されるものとして提示されるが、アクションの順序およびアクションを実行する構成要素は、実装形態に応じて変化し得ることを理解されたい。さらに、以下のアクション、機能、および/または説明する構成要素は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および/またはソフトウェア構成要素の任意の他の組合せによって実行され得ることを理解されたい。
【００３９】
図2を参照すると、通信リンク125を介して基地局105と通信している複数のUE115を有するワイヤレス通信システムの一部分を含むブロック図200が示されており、ここで、基地局105は、ネットワーク210にも接続される。UE115は、DLビームを受信したことに基づいて1つまたは複数のULビームのための送信電力を制御するように構成された、本開示で説明するUEの例であり得る。さらに、基地局105は、DLビームを1つまたは複数のUEに送信し、1つまたは複数のUEからULビームを受信するように構成された、本開示で説明する基地局(たとえば、1つまたは複数のマクロセル、スモールセルなどを提供するeNB、gNBなど)の一例であり得る。
【００４０】
一態様では、図2の基地局は、本開示で提示する機能、方法(たとえば、図6の方法600)などを実行するためにビーム管理構成要素240と組み合わせて動作し得る、1つもしくは複数のプロセッサ205および/またはメモリ202を含み得る。本開示によれば、ビーム管理構成要素240は、1つまたは複数のUEに送信するための1つまたは複数のDLビームを生成するためのDLビーム生成構成要素242、1つまたは複数のUEによって送信されたULビームに対応する1つまたは複数のパラメータを測定するためのULビーム測定構成要素244、ならびに/あるいは、ULビームおよび/またはDLビームに少なくとも部分的に基づいて1つまたは複数の電力制御コマンドを生成するおよび/または1つまたは複数のUEに送信するための任意選択の電力コマンド構成要素246を含み得る。
【００４１】
1つまたは複数のプロセッサ205は、1つまたは複数のモデムプロセッサを使用するモデム220を含み得る。ビーム管理構成要素240および/またはその下位構成要素に関する様々な機能は、モデム220および/またはプロセッサ205に含まれてもよく、一態様では、単一のプロセッサによって実行され得るが、他の態様では、機能のうちの異なるものが、2つ以上の異なるプロセッサの組合せによって実行されてもよい。たとえば、一態様では、1つまたは複数のプロセッサ205は、モデムプロセッサ、またはベースバンドプロセッサ、またはデジタル信号プロセッサ、または送信プロセッサ、またはトランシーバ270に関連付けられたトランシーバプロセッサ、またはシステムオンチップ(SoC)のうちのいずれか1つまたは任意の組合せを含み得る。特に、1つまたは複数のプロセッサ205は、ビーム管理構成要素240に含まれる機能および構成要素を実行し得る。別の例では、ビーム管理構成要素240は、DLビームを生成する、ULビームを測定する、電力制御コマンドを生成するなどのために、物理レイヤ(たとえば、レイヤ1(L1))、媒体アクセス制御(MAC)レイヤ(たとえば、レイヤ2(L2))、PDCPレイヤまたはRLCレイヤ(たとえば、レイヤ3(L3))などの1つまたは複数の通信レイヤで動作し得る。
【００４２】
いくつかの例では、ビーム管理構成要素240および下位構成要素の各々は、ハードウェア、ファームウェア、および/またはソフトウェアを備えてもよく、コードを実行するか、またはメモリ(たとえば、以下で説明するメモリ202などのコンピュータ可読記憶媒体)に記憶された命令を実行するように構成されてもよい。さらに、一態様では、図2の基地局105は、たとえば、UE115との間で無線送信を受信および送信するための、無線周波数(RF)フロントエンド290と、トランシーバ270とを含み得る。トランシーバ270は、モデム220と協調して、ビーム管理構成要素240に対する信号を受信するか、またはビーム管理構成要素240によって生成された信号をUEに送信し得る。RFフロントエンド290は、1つまたは複数のアンテナ273に接続されてもよく、アップリンクチャネルおよびダウンリンクチャネル上でRF信号を送信および受信し、信号を送信および受信するなどのために、1つまたは複数のスイッチ292と、1つまたは複数の増幅器(たとえば、電力増幅器(PA)294および/または低雑音増幅器291)と、1つまたは複数のフィルタ293とを含むことができる。一態様では、RFフロントエンド290の構成要素は、トランシーバ270と接続することができる。トランシーバ270は、モデム220およびプロセッサ205のうちの1つまたは複数に接続し得る。
【００４３】
トランシーバ270は、RFフロントエンド290を介してアンテナ273を通じてワイヤレス信号を(たとえば、送信機(TX)無線275を介して)送信し、(たとえば、受信機(RX)無線280を介して)受信するように構成され得る。一態様では、トランシーバ270は、基地局105が、たとえば、UE115と通信することができるように、指定された周波数で動作するように調整され得る。一態様では、たとえば、モデム220は、基地局105の構成およびモデム220によって使用される通信プロトコルに基づいて、トランシーバ270を指定された周波数および電力レベルで動作するように構成することができる。
【００４４】
図2の基地局105は、本明細書で使用するデータおよび/またはアプリケーションのローカルバージョン、あるいはプロセッサ205によって実行されているビーム管理構成要素240および/またはその下位構成要素のうちの1つもしくは複数を記憶するためなどのメモリ202をさらに含み得る。メモリ202は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたはプロセッサ205によって使用可能な任意のタイプのコンピュータ可読媒体を含むことができる。一態様では、たとえば、メモリ202は、ビーム管理構成要素240および/またはその下位構成要素のうちの1つもしくは複数を定義する1つまたは複数のコンピュータ実行可能コードを記憶するコンピュータ可読記憶媒体であってもよい。追加または代替として、基地局105は、RFフロントエンド290、トランシーバ270、メモリ202、またはプロセッサ205のうちの1つまたは複数を結合し、基地局105の構成要素および/または下位構成要素の各々の間でシグナリング情報を交換するためのバス211を含み得る。
【００４５】
一態様では、プロセッサ205は、図7の基地局に関して説明するプロセッサのうちの1つまたは複数に対応し得る。同様に、メモリ202は、図7の基地局に関して説明するメモリに対応し得る。
【００４６】
図3を参照すると、通信リンク125を介して基地局105と通信している複数のUE115を有するワイヤレス通信システムの一部分を含むブロック図300が示されており、ここで、基地局105は、ネットワーク210にも接続される。UE115は、DLビームを受信したことに基づいて1つまたは複数のULビームのための送信電力を制御するように構成された、本開示で説明するUEの例であり得る。さらに、基地局105は、DLビームを1つまたは複数のUEに送信し、1つまたは複数のUEからULビームを受信するように構成された、本開示で説明する基地局(たとえば、1つまたは複数のマクロセル、スモールセルなどを提供するeNB、gNBなど)の一例であり得る。
【００４７】
一態様では、図3のUE115は、本開示で提示する機能、方法(たとえば、図4の方法400、図5の方法500)などを実行するために電力制御構成要素340と組み合わせて動作し得る、1つもしくは複数のプロセッサ305および/またはメモリ302を含み得る。本開示によれば、電力制御構成要素340は、基地局105からDLビームに関係する1つまたは複数のパラメータを受信するおよび/または測定するためのDLビーム測定構成要素342、ならびに/あるいは、基地局105から受信された1つまたは複数のDLビームに基づき得る1つまたは複数のULビームを生成するおよび/または基地局105に送信するためのULビーム生成構成要素344を含み得る。
【００４８】
1つまたは複数のプロセッサ305は、1つまたは複数のモデムプロセッサを使用するモデム320を含み得る。電力制御構成要素340および/またはその下位構成要素に関する様々な機能は、モデム320および/またはプロセッサ305に含まれてもよく、一態様では、単一のプロセッサによって実行され得るが、他の態様では、機能のうちの異なるものが、2つ以上の異なるプロセッサの組合せによって実行されてもよい。たとえば、一態様では、1つまたは複数のプロセッサ305は、モデムプロセッサ、またはベースバンドプロセッサ、またはデジタル信号プロセッサ、または送信プロセッサ、またはトランシーバ370に関連付けられたトランシーバプロセッサ、またはシステムオンチップ(SoC)のうちのいずれか1つまたは任意の組合せを含み得る。特に、1つまたは複数のプロセッサ305は、電力制御構成要素340に含まれる機能および構成要素を実行し得る。別の例では、電力制御構成要素340は、基準信号を測定するおよび/または対応するビーム管理イベントを検出する/報告するために、物理レイヤまたはL1、MACレイヤまたはL2、PDCP/RLCレイヤまたはL3などの1つまたは複数の通信レイヤで動作し得る。
【００４９】
いくつかの例では、電力制御構成要素340および下位構成要素の各々は、ハードウェア、ファームウェア、および/またはソフトウェアを備えてもよく、コードを実行するか、またはメモリ(たとえば、以下で説明するメモリ302などのコンピュータ可読記憶媒体)に記憶された命令を実行するように構成されてもよい。さらに、一態様では、図3のUE115は、たとえば、基地局105との間で無線送信を受信および送信するための、RFフロントエンド390と、トランシーバ370とを含み得る。トランシーバ370は、モデム320と協調して、パケット(たとえば、および/または1つもしくは複数の関係するPDU)を含む信号を受信し得る。RFフロントエンド390は、1つまたは複数のアンテナ373に接続されてもよく、アップリンクチャネルおよびダウンリンクチャネル上でRF信号を送信および受信するための、1つまたは複数のスイッチ392と、1つまたは複数の増幅器(たとえば、PA394および/またはLNA391)と、1つまたは複数のフィルタ393とを含むことができる。一態様では、RFフロントエンド390の構成要素は、トランシーバ370と接続することができる。トランシーバ370は、モデム320およびプロセッサ305のうちの1つまたは複数に接続し得る。
【００５０】
トランシーバ370は、RFフロントエンド390を介してアンテナ373を通じてワイヤレス信号を(たとえば、送信機(TX)無線375を介して)送信し、(たとえば、受信機(RX)無線380を介して)受信するように構成され得る。一態様では、トランシーバ370は、UE115が、たとえば、基地局105と通信することができるように、指定された周波数で動作するように調整され得る。一態様では、たとえば、モデム320は、UE115の構成およびモデム320によって使用される通信プロトコルに基づいて、トランシーバ370を指定された周波数および電力レベルで動作するように構成することができる。
【００５１】
図3のUE115は、本明細書で使用するデータおよび/またはアプリケーションのローカルバージョン、あるいはプロセッサ305によって実行されている電力制御構成要素340および/またはその下位構成要素のうちの1つもしくは複数を記憶するためなどのメモリ302をさらに含み得る。メモリ302は、RAM、ROM、テープ、磁気ディスク、光ディスク、揮発性メモリ、不揮発性メモリ、およびそれらの任意の組合せなどの、コンピュータまたはプロセッサ305によって使用可能な任意のタイプのコンピュータ可読媒体を含むことができる。一態様では、たとえば、メモリ302は、電力制御構成要素340および/またはその下位構成要素のうちの1つもしくは複数を定義する1つまたは複数のコンピュータ実行可能コードを記憶するコンピュータ可読記憶媒体であってもよい。追加または代替として、UE115は、RFフロントエンド390、トランシーバ370、メモリ302、またはプロセッサ305のうちの1つまたは複数を結合し、UE115の構成要素および/または下位構成要素の各々の間でシグナリング情報を交換するためのバス311を含み得る。
【００５２】
一態様では、プロセッサ305は、図7のUEに関して説明するプロセッサのうちの1つまたは複数に対応し得る。同様に、メモリ302は、図7のUEに関して説明するメモリに対応し得る。
【００５３】
図4は、(たとえば、UEによって)アップリンクビームを1つまたは複数の基地局に送信するための方法400の一例のフローチャートを示す。
【００５４】
ブロック402において、異なるビームフォーミング方向を有する複数のDLビームが受信され得る。一態様では、DLビーム測定構成要素342は、たとえば、プロセッサ305、メモリ302、トランシーバ370、および/または電力制御構成要素340と連携して、(たとえば、基地局105から)異なるビームフォーミング方向を有する複数のDLビームを受信することができる。たとえば、基地局105は、ビーム掃引手順の一部として、複数のビームを送信することができる。たとえば、基地局105は、各ビームに対する指向性を達成するために、異なるビームフォーミング行列に基づいて、異なる位相シフトを使用してなど、各ビームを生成することができ、その結果、基地局105は、各ビームについて、ある方向において別の方向よりも多くの電力を送信する。複数の指向性を有する複数のビームを使用することは、たとえば、複数のビームを受信するUE115が、通信の品質を改善するために、UE115と通信する際に基地局105によって使用されるべき(および/またはUE115が基地局105と通信する際に使用するための)ビームを示すおよび/または選択することを可能にすることができる。たとえば、UE115は、あるDLビームにおいて別のDLビームよりも改善された信号品質を受けることがあり、このことは、基地局105に対するUE115のロケーションに基づき得る。たとえば、UE115は、別のビームよりもあるビームの方向に位置することがあり、物理的環境によって引き起こされるかまたは信号干渉によって引き起こされるかにかかわらず、別のビームよりも少ないあるビームの障害を受けることなどがある。
【００５５】
基地局105によって使用されるビーム掃引手順は、異なる指向性または角度の粒度でDLビームを送信することを含み得る。たとえば、P1と呼ばれる第1のインスタンスにおいて、ビーム掃引手順は、第1の粒度においておよび/または広い角度広がりにわたってDLビームを送信することを含んでもよく、ここで、広い角度広がりは、基地局105にあるまたはその近くの点から発信し、広がりをカバーする半径方向に広がるビームによって定義され得る。この例では、各DLビームは、角度広がり内で第1の粒度に従った半径方向において基地局105から送信されたビームを表すことができる。P2と呼ばれる第2のインスタンスにおいて、UE115によって選択されたまたは示されたP1におけるDLビームに基づいて、基地局105は、UE115のためのより集中したDLビームを提供するために、第2の粒度においておよび/またはより狭い角度広がりにわたってDLビームを送信することができる。P3と呼ばれる第3のインスタンスにおいて、UE115によって選択されたまたは示されたP2におけるDLビームに基づいて、基地局105は、UE115がその受信ビームを精緻化するおよび/または選択されたDLビームを測定することを可能にするために、選択されたビームを繰り返し送信することができる。ULビーム掃引について同様の手順を定義することができ、インスタンスは、一例では、それぞれ、U1、U2、U3と呼ばれ得る。
【００５６】
ブロック404において、複数のDLビームの各々に関連付けられたDL経路損失値が測定され得る。一態様では、DLビーム測定構成要素342は、たとえば、プロセッサ305、メモリ302、トランシーバ370、電力制御構成要素340などと連携して、複数のDLビームの各々に関連付けられたDL経路損失値を測定することができる。他の例では、DLビーム測定構成要素342は、SINRなどのDL経路損失、または帯域幅、MCSなどの基地局105から受信された他のパラメータに加えてまたはその代替として、DLビームに関連付けられた他のメトリックを測定することができる。
【００５７】
任意選択で、ブロック406において、DL経路損失値のうちの1つが最小経路損失値として決定され得る。一態様では、DLビーム測定構成要素342は、たとえば、プロセッサ305、メモリ302、トランシーバ370、電力制御構成要素340などと連携して、DL経路損失値のうちの1つを最小経路損失値として決定することができる。たとえば、DLビーム測定構成要素342は、最小DL経路損失値を決定するために、複数のDLビームの各々のDL経路損失値を比較することができる。たとえば、最小DL経路損失値は、1つまたは複数のULビームのための送信電力を決定するための望ましいビームを示すことができる。別の例では、より多くのULビームが良好な品質で受信されることをより高いULビーム送信電力が保証することを可能にするために、k番目に低いDL経路損失値、または一定のしきい値を超えない最も高いDL経路損失値が最小DL経路損失値の代わりに使用され得る。
【００５８】
ブロック408において、複数のULビームを送信するための送信電力が、DL経路損失値のうちの少なくとも1つに基づいて決定され得る。一態様では、電力制御構成要素340は、たとえば、プロセッサ305、メモリ302、トランシーバ370などと連携して、DL経路損失値のうちの少なくとも1つに基づいて、複数のULビームを送信するための送信電力を決定することができる。たとえば、電力制御構成要素340は、ULビームの各々(たとえば、すべて)のための送信電力を決定するために、DLビームのうちの1つ(または少なくともDLビームのうちの1つのための決定されたDL経路損失)を、ULビームの各々と関連付けてもよい。たとえば、この点について、電力制御構成要素340は、(たとえば、ULビーム掃引手順のU1インスタンスの一部として送信された)すべてのULビームに対するDL経路損失について同じDLビームを使用することができる。一例では、この選択は、DLビームとULビームとの間の関連付けがないときの非相互的な状況において使用され得る。一例では、電力制御構成要素340は、任意選択のブロック406において決定されたDL経路損失を使用することができる。別の例では、電力制御構成要素340は、決定された最も強いDLビーム(たとえば、上記で説明したように、最も低いまたは最小経路損失を有するDLビーム)を使用することができる。さらに、たとえば、電力制御構成要素340は、ULビーム掃引のための送信電力を決定するために、完全なDLビーム掃引の後に、測定された経路損失を更新することができる。一例では、ULビーム掃引の間にDLビームの最小のまたは選ばれたDL経路損失の更新がある可能性がある場合があり、このことは、更新の前後に送信されたULビームの受信強度の比較を複雑にする場合がある。この例では、本明細書でさらに説明するように、UE115は、基地局105が公平な比較を行うことを可能にするために、そのようなビーム更新からのDLビーム強度の変化を基地局105に示すことができる。他の例では、本明細書で説明するように、UE115は、(たとえば、次のビーム掃引まで)DLビーム強度のそのような更新を控えることができる。
【００５９】
別の例では、電力制御構成要素340は、DLビームのうちの異なる1つ(または関連するDL経路損失値)を、ULビームのうちの異なる1つと関連付けてもよい。したがって、たとえば、電力制御構成要素340は、(たとえば、ビーム掃引のU1インスタンスにおいて送信された)各ULビームに対する経路損失について異なるDLビームを使用することができる。この例では、各ULビームは、(たとえば、1次SS(PSS)、2次SS(SSS)などのうちの1つまたは複数を含む)異なるDL同期信号(SS)ブロック、または基地局105によって送信されたチャネル状態情報基準信号(CSI-RS)ビームに関連付けられてもよい。より一般的には、1つまたは複数のULビームのグループは同じDL SSブロックに関連付けられてもよいが、異なるグループは異なるDL SSブロックに関連付けられてもよい。U1ビームにわたる公平な比較のために、本明細書でさらに説明するように、関連するDLビーム強度が基地局105に報告され得る。たとえば、UE115は、たとえば、L1基準信号受信電力(RSRP)報告において、これらを示してもよい。UE115は、絶対RSRPまたは一定のDLビームに対するRSRP差分を報告してもよい。一定のDLビームは、たとえば、RSRP報告またはU1ビーム掃引をトリガするRRCまたはダウンリンク制御情報(DCI)を通じて構成されてもよい。たとえば、これは、弱いビームさえも基地局105において十分な電力で受信されることを可能にすることができる。加えて、これは、ULビームにわたる公平な比較を依然として維持しながら、良好なチャネルサウンディングを提供することができる。
【００６０】
U1ビームに関して説明したが、U2ビーム掃引手順についても同様の手順が適用され得る。たとえば、U2ビーム掃引では、UE115は、同じ基地局の受信ビームとともに受信され得る精緻化されたビームを送信することができる。たとえば、基地局の受信ビームは、上記で説明したように、U1ビーム掃引において識別された最良のビームに基づき得る。これらのビームが対応するDLビーム(たとえば、CSI-RSビーム)に関連付けられる場合、やはり各ビーム電力は対応するDL経路損失に基づき得る。U1ビーム掃引と同様に、基地局105にU2ビームにわたる公平な比較を行わせるために、UE RSRP報告が含まれ得る。簡単にするために、またはそのようなビーム関連付けがないとき、すべてのU2ビーム電力は、別の例において上記で説明したように、DL経路損失測定値について同じDLビーム(たとえば、上記で説明したように、P2ビーム掃引における最も強いまたは最も望ましいDLビーム)に基づき得る。
【００６１】
ブロック410において、複数のULビームが、複数のビームフォーミングされた方向において送信され得る。一態様では、ULビーム生成構成要素344は、たとえば、プロセッサ305、メモリ302、トランシーバ370、電力制御構成要素340などと連携して、送信電力に基づいて、複数のビームフォーミングされた方向において複数のULビームを送信することができる。たとえば、ULビーム生成構成要素344は、単一のDLビームの単一のDL経路損失に基づいて決定された送信電力で、対応するDLビームの複数の関連するDL経路損失に基づいた異なる送信電力でなど、ULビームを送信することができる。この例では、ULビーム生成構成要素344は、受信されたDLビームごとに1つまたは複数のULビームを送信し得る。加えて、たとえば、ULビーム生成構成要素344は、説明したように、異なるビームフォーミングされた方向においてULビームを送信することを達成するために、ビームフォーミング行列、位相シフトなどを複数のULビームの各々に適用することができる。一例では、ULビーム生成構成要素344は、対応するDLビームについての受信された、決定された、または推定されたビームフォーミングされた方向、(たとえば、構成されたビームフォーミング行列に基づいて)UE115において構成されたビームフォーミングされた方向などに基づいて、ULビームのためのビームフォーミングを決定し得る。さらに、たとえば、送信されたULビームは、SRSなどの既知の波形に対応することができる。ビーム掃引手順において複数のULビームを送信することは、UL/DLチャネル相反性が存在しないときに良好なULビームを識別するのを助けることができる、相反性が成立するときにDLビーム掃引(P1手順)の代替として使用され得る、などである。
【００６２】
任意選択で、ブロック412において、異なるビームフォーミング方向を有する複数の更新されたDLビームが受信され得、任意選択で、ブロック414において、複数の更新されたDLビームの各々に関連付けられた更新されたDL経路損失値が測定され得る。一態様では、DLビーム測定構成要素342は、たとえば、プロセッサ305、メモリ302、トランシーバ370、電力制御構成要素340などと連携して、異なるビームフォーミング方向を有する複数の更新されたDLビームを受信することができる、および/または、複数の更新されたDLビームの各々に関連付けられた更新されたDL経路損失値を測定することができる。説明したように、たとえば、そのような更新は、すべてのULビームのための送信電力を決定するためにどのDLビームが使用されるかを変化させることがあるので、送信電力制御を妨害することがある。この例では、電力制御構成要素340は、(たとえば、すべてのULビームが送信され終わると)ULビーム掃引手順が完了するまで、DL経路損失更新を処理するのを控え得る。別の例では、任意選択で、ブロック416において、DLビーム強度の変化が報告され得る。一態様では、DLビーム測定構成要素342は、たとえば、プロセッサ305、メモリ302、トランシーバ370、電力制御構成要素340などと連携して、DLビーム強度の変化を(たとえば、基地局105に)報告することができ、この変化は、対応するULビームのための送信電力を決定する際に使用されるDLビームを決定する際に基地局105によって考慮され得る。
【００６３】
任意選択で、ブロック418において、複数のULビームのうちの1つまたは複数について、ULビームに関連付けられたDLビームのDL経路損失値が報告され得る。一態様では、DLビーム測定構成要素342は、たとえば、プロセッサ305、メモリ302、トランシーバ370、電力制御構成要素340などと連携して、複数のULビームのうちの1つまたは複数について、ULビームに関連付けられたDLビームのDL経路損失値を報告することができる。一例では、これは、ULビームのうちの1つまたは複数(たとえば、各々)に関連付けられた単一のビームのDL経路損失を報告することを含むことができる。別の例では、これは、ULビームの各々に関連付けられたDLビームのDL経路損失値を報告することを含むことができる(たとえば、各ULビームが異なるDLビームに関連付けられる場合)。たとえば、DLビーム測定構成要素342は、上記で説明した例では、各ULビームが異なるDLビームに関連付けられる場合、複数のDL経路損失値を報告することができる。いずれの場合も、これは、基地局105が、UEのための閉ループ送信電力コマンドを決定するために、ULビームとDLビームとの間の相関(または関連する経路損失値)を決定することを可能にすることができる。一例では、DLビーム測定構成要素342は、ダウンリンク経路損失値のうちの1つの絶対値、基準経路損失値と比較したダウンリンク経路損失値の相対差分値などのうちの少なくとも1つを報告することができる。
【００６４】
さらに、任意選択で、ブロック420において、閉ループ電力コマンドに対する肯定応答(ACK)を送信したことに基づいて、閉ループ電力コマンドが処理され得る。一態様では、電力制御構成要素340は、たとえば、プロセッサ305、メモリ302、トランシーバ370などと連携して、閉ループ電力コマンドに対するACKを送信したことに基づいて、閉ループ電力コマンドを処理することができる。説明したように、たとえば、(たとえば、U1、U2、またはU3にかかわらず)ULビーム掃引のための送信電力更新は、DL経路損失に対する決定された更新によって引き起こされる(たとえば、DLビーム経路損失に基づく)か、または受信された閉ループ電力コマンドに基づくかにかかわらず、(たとえば、いくつかの直交周波数分割多重(OFDM)シンボル、DFT拡散直交周波数分割多重(DFT-s-OFDM)シンボルなどを含み得る)スロットなどの電力制御時間境界にまたがり得る。この場合、他の例において説明したように、電力制御構成要素340は、(たとえば、少なくともULビーム掃引手順が完了するまで)更新をスキップするか、または延期することができる。別の例では、基地局105が更新に気付いているという条件で更新が適用されてもよく、このことは、上記で説明したように、電力制御構成要素340が、場合によってはDL経路損失の変化についてではないが、基地局105によって送信された閉ループ調整値(累積または絶対)に基づいて送信電力を更新することを含むか、または、たとえば、RSRP報告を使用してDL経路損失の変化が基地局105に報告される場合、DL経路損失の変化に基づいた更新を可能にし得る。別の例では、電力制御構成要素340は、UE115が(たとえば、更新がDL許可またはUL許可とともに来た場合、それぞれ、PUCCHまたはPUSCHを使用して)基地局105からの更新の受信を肯定応答するACKを送信することが可能である場合、および/または、UEが電力ヘッドルーム制限のしきい値の外にあると決定された場合(たとえば、基地局105がこの制限について知らないことがあるので、更新がヘッドルームによって制限されないように)、送信電力を更新することができる。
【００６５】
別の例では、任意選択で、ブロック422において、1つまたは複数の電力制御パラメータを含む送信電力制御コマンドが受信され得る。一態様では、電力制御構成要素340は、たとえば、プロセッサ305、メモリ302、トランシーバ370などと連携して、1つまたは複数の電力制御パラメータを含む送信電力制御コマンドを受信することができ、それに応じて、1つまたは複数の電力制御コマンドに基づいて1つまたは複数のアップリンク通信のための送信電力を修正することができる。一例では、電力制御構成要素340は、ブロック410において送信されたULビームに応答して、送信電力制御コマンドを受信することができる。一例では、電力制御構成要素340は、1つまたは複数の電力制御パラメータも含むことができる、SRSチャネルまたは他のリソースをアクティブ化するためのSRSアクティブ化メッセージとして、送信電力制御コマンドを受信することができる。SRSアクティブ化メッセージは、RRC、DCIなどを介して基地局105から受信され得る。さらに、たとえば、SRSアクティブ化メッセージは、SRS電力オフセット、および絶対または累積電力制御コマンドなどのパラメータを含み得る。さらに、一例では、電力制御構成要素340は、各SRS送信に対してSRS電力オフセットを使用することができる。絶対電力制御コマンドは、たとえば、一度だけまたは限られた数のSRS送信にわたって使用される、さらなるオフセットであり得る。累積コマンドは、以前のSRSアクティブ化/非アクティブ化の間またはSRSリソースが以前にアクティブであった間のいずれかに、以前に受信されたそのようなコマンドに追加される(および/または複数のSRSアクティブ化にわたって累積される)電力オフセットであり得る。
【００６６】
図5は、(たとえば、UEによって)アップリンクビームを1つまたは複数の基地局に送信するための方法500の一例のフローチャートを示す。方法500は、図4の方法400におけるブロック410で説明したように、ULビームを送信することの一部として実行され得る、複数の任意選択のブロックを含むことができる。
【００６７】
ブロック410において、複数のULビームが、複数のビームフォーミングされた方向において送信され得る。一態様では、ULビーム生成構成要素344は、たとえば、プロセッサ305、メモリ302、トランシーバ370、電力制御構成要素340などと連携して、上記で説明したように、送信電力に基づいて、複数のビームフォーミングされた方向において複数のULビームを送信することができる。ブロック410において複数のULビームを送信することは、ブロック502において、複数のULビームのうちの1つまたは複数を送信することを任意選択で含み得る。一態様では、ULビーム生成構成要素344は、たとえば、プロセッサ305、メモリ302、トランシーバ370、電力制御構成要素340などと連携して、複数のULビームのうちの1つまたは複数(たとえば、ULビームの一部分)を送信することができる。これは、ULビーム生成構成要素344が、ビーム掃引手順の一部として複数のULビームのうちの1つまたは複数を送信することを含むことができる。
【００６８】
ブロック410において複数のULビームを送信することは、ブロック422において、1つまたは複数の電力制御パラメータを含む送信電力制御コマンドを受信することを任意選択で含み得る。一態様では、電力制御構成要素340は、たとえば、プロセッサ305、メモリ302、トランシーバ370などと連携して、説明したように、1つまたは複数の電力制御パラメータを含む送信電力制御コマンドを受信することができる。たとえば、電力制御構成要素340は、説明したように、1つまたは複数の受信されたDLビームに対応する送信されたULビームなどに関して、基地局105から電力制御コマンドを受信することができる。さらに、一例では、送信電力制御コマンドは、閉ループ電力コマンドを含むことができる。たとえば、電力制御構成要素340は、ビーム掃引手順の間に(たとえば、複数のULビームのすべてが送信され終わる前に)、電力制御コマンド(または複数の電力制御コマンド)を受信することができる。この場合、電力制御構成要素340は、送信電力制御コマンドを適用すること、または、少なくともある時間期間にわたってもしくはイベントを検出したことに基づいて電力制御コマンドを適用するのを控えることのいずれかを行うことができる。
【００６９】
したがって、一例では、ブロック410において複数のULビームを送信することは、ブロック504において、ビーム掃引の後まで送信電力制御コマンドを適用するのを控えることを任意選択で含み得る。一態様では、電力制御構成要素340は、たとえば、プロセッサ305、メモリ302、トランシーバ370などと連携して、ビーム掃引の後まで送信電力制御コマンドを適用するのを控えることができる。説明したように、ビーム掃引が完了する前に送信電力制御コマンドを適用することは、(説明したように、ACKを基地局105に送ることなどによって、送信電力制御コマンドが適用されることに基地局105が気付いていない限り)基地局105におけるビームの不公平な比較をもたらし得る。この例では、電力制御構成要素340は、少なくともULビーム掃引が完了するまで、送信電力制御コマンドを適用するのを控えることができ、このことは、電力制御構成要素340が、ULビーム掃引の終わりを検出し、それに応じて、その後に信号(たとえば、データ信号、ビームなど)を基地局105および/または他のネットワークノードに送信するための、1つまたは複数の受信された(および適用されていない)送信電力制御コマンドを適用することを含み得る。一例では、送信電力制御コマンドを適用するのを控えることは、コマンドの適用を完全にスキップ(たとえば、コマンドを無視)すること、ある時点までまたはイベントの発生を検出したことに基づいてコマンドの適用を延期すること(その時点またはイベントの発生を検出することに関係する機能を含み得る)、などを含むことができる。
【００７０】
この例では、ブロック504において送信電力制御コマンドを適用するのを控えた後、ブロック410において複数のULビームを送信することは、ブロック502において、複数のULビームのうちの1つまたは複数を送信することを含むことができる。一態様では、ULビーム生成構成要素344は、たとえば、プロセッサ305、メモリ302、トランシーバ370、電力制御構成要素340などと連携して、すべてのULビームが送信されるまでおよび/またはブロック422において別の送信電力制御コマンドが受信されるまでのULビームの残りの部分のうちの1つまたは複数を含み得る、複数のULビームのうちの1つまたは複数を送信することができる。
【００７１】
別の例では、ブロック410において複数のULビームを送信することは、ブロック506において、送信電力制御コマンドを適用することを任意選択で含み得る。一態様では、電力制御構成要素340は、たとえば、プロセッサ305、メモリ302、トランシーバ370などと連携して、説明したように、ULビームのうちの1つまたは複数のための送信電力を調整することを含むことができる、送信電力制御コマンドを適用することができる。加えて、この例では、電力制御構成要素340は、送信電力制御コマンドを受信するおよび/または適用するACKを送信し得る。
【００７２】
この例では、ブロック506において送信電力制御コマンドを適用した後、ブロック410において複数のULビームを送信することは、ブロック502において、複数のULビームのうちの1つまたは複数を送信することを含むことができる。一態様では、ULビーム生成構成要素344は、たとえば、プロセッサ305、メモリ302、トランシーバ370、電力制御構成要素340などと連携して、すべてのULビームが送信されるまでおよび/またはブロック422において別の送信電力制御コマンドが受信されるまでのULビームの残りの部分のうちの1つまたは複数を含み得る、複数のULビームのうちの1つまたは複数を調整された送信電力で送信することができる。
【００７３】
図6は、(たとえば、説明したように、gNB、eNBなどを含むことができる基地局105によって)UEからULビームを受信するための方法600の一例のフローチャートを示す。
【００７４】
方法600では、ブロック602において、異なるビームフォーミング方向を有する複数のDLビームが送信され得る。一態様では、DLビーム生成構成要素242は、たとえば、プロセッサ205、メモリ202、トランシーバ270、および/またはビーム管理構成要素240と連携して、異なるビームフォーミング方向を有する複数のDLビームを送信することができる。説明したように、DLビーム生成構成要素242は、ビームのための指向性電力を実現するためにビームフォーミング行列、位相シフトなどを適用することによって、DLビームを生成することができる。加えて、これは、説明したように、P1、P2、P3などのDLビーム掃引手順の一部とすることができる。UE115は、説明したように、DLビームを受信し、DLビームのうちの1つまたは複数から決定された開ループパラメータに基づいて電力制御調整値を決定するためにDLビームを使用することができる。
【００７５】
ブロック604において、異なるビームフォーミング方向を有する複数のULビームが受信され得る。一態様では、ULビーム測定構成要素244は、たとえば、プロセッサ205、メモリ202、トランシーバ270、および/またはビーム管理構成要素240などと連携して、異なるビームフォーミング方向を有する複数のULビームを受信することができる。たとえば、説明したように、複数のULビームは、指向性電力を達成するためにビームフォーミング行列、位相シフトなどを使用して生成され得る、および/あるいは、1つまたは複数の対応するDLビームについて決定されたビームフォーミングに基づき得る。別の例では、説明したように、UE115は、DLビームのうちの1つまたは複数の決定されたDL経路損失に基づいて(たとえば、ULが関連付けられるDLビームを示すDL経路損失などに基づいて決定された送信電力を使用して)複数のULビームを送信することができる。受信されたULビームは、SRSなどの既知の波形に基づいて検出され得る。
【００７６】
ブロック606において、複数のULビームの各々に関連付けられたUL経路損失が測定され得る。一態様では、ULビーム測定構成要素244は、たとえば、プロセッサ205、メモリ202、トランシーバ270、ビーム管理構成要素240などと連携して、複数のULビームの各々に関連付けられたUL信号品質またはUL経路損失を測定することができる。たとえば、これは、UE115からの後続のアップリンク通信のための所望のULビーム(たとえば、最も低い経路損失を有すると決定されたULビーム)を決定するのを支援することができる。さらに、ULビーム測定構成要素244は、一例では、所望のULビームをUE115に戻って示すのを容易にするために、ULビーム内のULビーム識別子を決定し得る。
【００７７】
ブロック608において、1つまたは複数の測定されたDL信号値が受信され得る。一態様では、ビーム管理構成要素240は、たとえば、プロセッサ205、メモリ202、トランシーバ270などと連携して、測定された信号品質、RSRP、経路損失などを含み得る、1つまたは複数の測定されたDL信号値を受信することができる。一例では、UE115は、所望のDLビームおよび/または対応するULビームを決定するのを支援するために、DL信号値を基地局105に報告することができる。加えて、一例では、電力コマンド構成要素246は、1つまたは複数の受信されたDL経路損失値および/あるいは測定されたUL信号品質値に少なくとも部分的に基づいて、UE115のための電力コマンドを生成し得る。
【００７８】
ブロック610において、UL信号品質値またはUL経路損失値および1つまたは複数の測定された信号値に基づいて、送信電力を調整するためのコマンドがUEに送信され得る。一態様では、電力コマンド構成要素246は、たとえば、プロセッサ205、メモリ202、トランシーバ270、ビーム管理構成要素240などと連携して、UE115に、UL経路損失値および1つまたは複数の測定された信号値に基づいて、送信電力を調整するためのコマンドを送信することができる。たとえば、電力コマンド構成要素246は、測定され得るアップリンク品質および/または受信されたDL信号値(たとえば、信号品質、RSRP、経路損失など)に概ね基づいて、UE115のための送信電力を決定することができる。したがって、一例では、電力コマンド構成要素246は、最も低い経路損失を有すると決定されたULビームなど、ULビームのうちの1つまたは複数に関連付けられたDLビーム(および/またはDL経路損失)を決定することができ、それに応じて、最も低い経路損失を有するULビームに基づいて、UE115のための電力コマンドを決定することができる。一例では、電力コマンド構成要素246は、UE115のための送信電力コマンドを決定するために、対応する報告されたDL経路損失を使用することもできる。複数のアップリンクビームの場合、一例では、電力コマンド構成要素246は、ULビームの各々のための電力制御コマンドを決定し、送信することができるか、またはすべてのULビームに適用される共通のコマンドを送信してもよい。
【００７９】
一例では、電力コマンド構成要素246は、説明したように、SRSアクティブ化メッセージにおいて電力コマンドを送信することができる。さらに、一例では、ビーム管理構成要素240は、UE115から更新されたDL経路損失測定値を受信してもよく、電力コマンド構成要素246は、(たとえば、元のまたは更新されたDL経路損失測定値に基づいて生成されたULビームの公平な比較に基づいて)送信電力コマンドを生成する際に、更新されたDL経路損失測定値を使用することができる。別の例では、電力コマンド構成要素246は、説明したように、閉ループ電力コマンドのためのACKがUE115から受信されたかどうかに基づいて、更新されたDL経路損失値を使用するかどうかを決定することができる。さらに、一例では、ビーム管理構成要素240は、説明したように、基地局105と通信する際に使用するために、ULビームを決定するおよび/またはUE115に示すことができ、ULビームは、測定されたUL経路損失および/または対応するDLビームについての報告されたDL経路損失に基づき得る。
【００８０】
図7は、基地局105およびUE115を含むMIMO通信システム700のブロック図である。MIMO通信システム700は、図1を参照しながら説明したワイヤレス通信システム100の態様を示し得る。基地局105は、図1〜図3を参照しながら説明した基地局105の態様の一例であり得る。基地局105はアンテナ734および735を備えてもよく、UE115はアンテナ752および753を備えてもよい。MIMO通信システム700では、基地局105は、複数の通信リンクを介して同時にデータを送ることが可能であり得る。各通信リンクは「レイヤ」と呼ばれることがあり、通信リンクの「ランク」は通信に使用されるレイヤの数を示し得る。たとえば、基地局105が2つの「レイヤ」を送信する2×2のMIMO通信システムでは、基地局105とUE115との間の通信リンクのランクは2である。
【００８１】
基地局105において、送信(Tx)プロセッサ720は、データソースからデータを受信してもよい。送信プロセッサ720は、データを処理してもよい。送信プロセッサ720はまた、制御シンボルまたは基準シンボルを生成してもよい。送信MIMOプロセッサ730は、適用可能な場合、データシンボル、制御シンボル、または基準シンボルに対して空間処理(たとえば、プリコーディング)を実行してもよく、出力シンボルストリームを変調器/復調器732および733に与えてもよい。各変調器/復調器732〜733は、(たとえば、OFDMなどのために)それぞれの出力シンボルストリームを処理して、出力サンプルストリームを取得してもよい。各変調器/復調器732〜733は、出力サンプルストリームをさらに処理(たとえば、アナログに変換、増幅、フィルタリング、およびアップコンバート)して、DL信号を取得してもよい。一例では、変調器/復調器732および733からのDL信号は、それぞれ、アンテナ734および735を介して送信されてもよい。
【００８２】
UE115は、図1〜図3を参照しながら説明したUE115の態様の一例であり得る。UE115において、UEアンテナ752および753は、基地局105からDL信号を受信してもよく、それぞれ、受信された信号を変調器/復調器754および755に与えてもよい。各変調器/復調器754〜755は、それぞれの受信された信号を調整(たとえば、フィルタリング、増幅、ダウンコンバート、およびデジタル化)して、入力サンプルを取得してもよい。各変調器/復調器754〜755は、(たとえば、OFDMなどのために)入力サンプルをさらに処理して、受信されたシンボルを取得してもよい。MIMO検出器756は、変調器/復調器754および755から受信されたシンボルを取得し、適用可能な場合、受信されたシンボルに対してMIMO検出を実行し、検出されたシンボルを与えてもよい。受信(Rx)プロセッサ758は、検出されたシンボルを処理(たとえば、復調、デインターリーブ、および復号)し、UE115のための復号されたデータをデータ出力に与え、復号された制御情報をプロセッサ780またはメモリ782に与えてもよい。
【００８３】
プロセッサ780は、場合によっては、電力制御構成要素340(たとえば、図1および図3参照)をインスタンス化するために、記憶された命令を実行してもよい。
【００８４】
アップリンク(UL)上で、UE115において、送信プロセッサ764は、データソースからデータを受信し、処理してもよい。送信プロセッサ764はまた、基準信号用の基準シンボルを生成してもよい。送信プロセッサ764からのシンボルは、適用可能な場合、送信MIMOプロセッサ766によってプリコーディングされ、(たとえば、SC-FDMAなどのために)変調器/復調器754および755によってさらに処理され、基地局105から受信された通信パラメータに従って基地局105に送信されてもよい。基地局105において、UE115からのUL信号は、アンテナ734および735によって受信され、変調器/復調器732および733によって処理され、適用可能な場合、MIMO検出器736によって検出され、受信プロセッサ738によってさらに処理されてもよい。受信プロセッサ738は、復号されたデータをデータ出力とプロセッサ740またはメモリ742とに与えてもよい。
【００８５】
プロセッサ740は、場合によっては、ビーム管理構成要素240(たとえば、図1および図2参照)をインスタンス化するために、記憶された命令を実行してもよい。
【００８６】
UE115の構成要素は、適用可能な機能のうちのいくつかまたはすべてをハードウェアで実行するように適応された1つまたは複数のASICを用いて、個別にまたは集合的に実装され得る。言及したモジュールの各々は、MIMO通信システム700の動作に関する1つまたは複数の機能を実行するための手段であり得る。同様に、基地局105の構成要素は、適用可能な機能のうちのいくつかまたはすべてをハードウェアで実行するように適応された1つまたは複数のASICを用いて、個別にまたは集合的に実装され得る。言及した構成要素の各々は、MIMO通信システム700の動作に関する1つまたは複数の機能を実行するための手段であり得る。
【００８７】
添付の図面に関して上記に記載した上記の詳細な説明は、例について説明しており、実装され得るかまたは特許請求の範囲内に入る唯一の例を表すものではない。「例」という用語は、本明細書で使用されるとき、「例、事例、または例示として働くこと」を意味し、「好ましい」または「他の例よりも有利である」ことを意味しない。詳細な説明は、説明する技法の理解を与える目的で具体的な詳細を含む。しかしながら、これらの技法は、これらの具体的な詳細なしに実践され得る。いくつかの事例では、説明する例の概念を不明瞭にすることを回避するために、よく知られている構造および装置はブロック図の形態で示される。
【００８８】
情報および信号は、様々な異なる技術および技法のうちのいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【００８９】
本明細書の本開示に関して説明する様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せなどの、特別にプログラムされたデバイスを用いて実装または実行され得る。特別にプログラムされたプロセッサは、マイクロプロセッサであってもよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００９０】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して送信され得る。他の例および実装形態は、本開示および添付の特許請求の範囲の範囲および趣旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲内を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【００９１】
コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、CD-ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(disc)(CD)、レーザーディスク(disc)、光ディスク(disc)、デジタル多用途ディスク(disc)(DVD)、フロッピーディスク(登録商標)(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【００９２】
本開示の前述の説明は、当業者が本開示を作成または使用することができるように与えられる。本開示の様々な修正は、当業者に容易に明らかになり、本明細書で定義する一般原理は、本開示の趣旨または範囲から逸脱することなく、他の変形形態に適用され得る。さらに、説明する態様および/または実施形態の要素は、単数形で説明または特許請求されている場合があるが、単数形への限定が明示的に述べられていない限り、複数形が企図される。加えて、任意の態様および/または実施形態のすべてまたは一部分は、別段に記載されていない限り、任意の他の態様および/または実施形態のすべてまたは一部分とともに利用され得る。したがって、本開示は、本明細書で説明する例および設計に限定されるべきではなく、本明細書で開示する原理および新規の特徴と一致する最も広い範囲を与えられるべきである。
【符号の説明】
【００９３】
100  ワイヤレス通信システム
105  基地局
110  地理的カバレージエリア
115  UE
125  通信リンク
130  コアネットワーク
132、134  バックホールリンク
200、300  ブロック図
202、302、742、782  メモリ
205、305、740、780  プロセッサ
210  ネットワーク
211、311  バス
220、320  モデム
240  ビーム管理構成要素
242  DLビーム生成構成要素
244  ULビーム測定構成要素
246  電力コマンド構成要素
270、370  トランシーバ
273、373、734、735、752、753  アンテナ
275、375  送信機(TX)無線
280、380  受信機(RX)無線
290  無線周波数(RF)フロントエンド、RFフロントエンド
291  低雑音増幅器
292、392  スイッチ
293、393  フィルタ
294  電力増幅器(PA)
340  電力制御構成要素
342  DLビーム測定構成要素
344  ULビーム生成構成要素
390  RFフロントエンド
391  LNA
394  PA
400、500、600  方法
700  MIMO通信システム
720  送信(Tx)プロセッサ、送信プロセッサ
730、766  送信MIMOプロセッサ
732、733、754、755  変調器/復調器
736、756  MIMO検出器
738  受信プロセッサ
758  受信(Rx)プロセッサ
764  送信プロセッサ
【図１】
2021501518.tif 000003
【図２】
2021501518.tif 000004
【図３】
2021501518.tif 000005
【図４】
2021501518.tif 000006
【図５】
2021501518.tif 000007
【図６】
2021501518.tif 000008
【図７】
2021501518.tif 000009
【国際調査報告】
2021501518.tif 000010
2021501518.tif 000011
2021501518.tif 000012
2021501518.tif 000013